【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
浚渫カッタヘッドであって、
（ａ）ハブと、リングと、上記ハブと上記リングを相互に連結する複数の螺旋アームと、を有し、
（ｂ）上記螺旋アームは各々、前縁と、後縁と、を有し、上記螺旋アームのうちの少なくとも１つは、上記前縁と上記後縁との間に位置し、かつ上記螺旋アームに沿って上記リングに向かって延びるトラフ部分を有する駆動用螺旋アームであり、上記トラフ部分は上記駆動用螺旋アームに沿って上記リングに向かう物体の運動をほぼ妨げず、
（ｃ）上記駆動用螺旋アームは各々、上記カッタヘッドがその回転軸線を中心に回転されるとき、上記リングに近い各駆動用螺旋アームの一部分の上記前縁が、上記ハブに近い上記各螺旋アームの一部分の上記前縁の後方に進み、上記トラフ部分内の浚渫物に加わる正味の力が上記浚渫物を全体として上記トラフ部分の中心に沿い上記リングに向かって押し出すように形作られていることを特徴とする浚渫カッタヘッド。
【請求項２】
上記駆動用螺旋アームは各々、上記ハブよりも上記リングに近くにある、上記駆動用螺旋アームの各々の少なくともそれぞれの部分に沿って全体として増大する曲率度を有する請求項１記載の浚渫カッタヘッド。
【請求項３】
上記駆動用螺旋アームは各々、最大の曲率度及び最小の曲率度を有し、上記最大曲率度は、上記最小曲率度が位置するよりも上記リングの近くに位置している請求項１記載の浚渫カッタヘッド。
【請求項４】
上記駆動用螺旋アームは各々、上記リングの近くに位置する曲率度及び上記ハブの近くに位置する曲率度を有し、上記リングの近くの上記曲率度は、上記ハブの近くの上記曲率度の少なくとも１．５倍である請求項１記載の浚渫カッタヘッド。
【請求項５】
上記駆動用螺旋アームは各々、上記ハブの近くよりも上記リングに近くにおいて幅が広い請求項１記載の浚渫カッタヘッド。
【請求項６】
上記前縁のねじれ角は、上記リングの近くで少なくとも１４０°である請求項１記載の浚渫カッタヘッド。
【請求項７】
上記カッタヘッドのアスペクト比は、少なくとも２．０である請求項１記載の浚渫カッタヘッド。
【請求項８】
上記トラフ部分は、上記螺旋アームの各々の先導部分よりも薄い請求項１記載の浚渫カッタヘッド。
【請求項９】
上記リングは、少なくとも１つの切欠きを更に備え、上記切欠きは各々、それぞれ対応関係にあるトラフ部分と連通している請求項１記載の浚渫カッタヘッド。
【請求項１０】
上記後縁は、上記カッタヘッドの内部へ内方に湾曲している請求項１記載の浚渫カッタヘッド。
【請求項１１】
上記リングは、上記リングの内部に沿って環状に延び、かつ上記リングから上記カッタヘッドの回転軸線に向かって内方に向いたチャネルを構成している請求項１記載の浚渫カッタヘッド。
【請求項１２】
上記駆動用螺旋アームは各々、上記リングの近くの曲率度が少なくとも１０％である請求項１記載の浚渫カッタヘッド。
【請求項１３】
上記リングの近くの曲率度が少なくとも１５％である請求項１２記載の浚渫カッタヘッド。
【請求項１４】
上記曲率度は、上記ハブよりも上記リングに近くにある、上記駆動用螺旋アームの少なくともそれぞれの部分にわたって全体として増大している請求項１２記載の浚渫カッタヘッド。
【請求項１５】
上記螺旋アームは各々、最大の曲率度及び最小の曲率度を有し、上記最大曲率度は、上記最小曲率度が位置するよりも上記リングの近くに位置している請求項１２記載の浚渫カッタヘッド。
【請求項１６】
上記最小の曲率度は、上記ハブの近くに位置し、上記最大の曲率度は、上記リングの近くに位置している請求項１５記載の浚渫カッタヘッド。
【請求項１７】
上記リングの近くの場所の上記曲率度は、上記ハブの近くの別の場所の上記曲率度の１．５倍である請求項１２記載の浚渫カッタヘッド。
【請求項１８】
上記駆動用螺旋アームは各々、上記ハブの近くよりも上記リングに近くにおいて幅が広い請求項１２記載の浚渫カッタヘッド。
【請求項１９】
上記前縁のねじれ角は、上記リングの近くで少なくとも１４０°である請求項１２記載の浚渫カッタヘッド。
【請求項２０】
上記カッタヘッドのアスペクト比は、少なくとも１．７である請求項１２記載の浚渫カッタヘッド。
【請求項２１】
上記駆動用螺旋アームの少なくとも１つの上記トラフ部分は、上記螺旋アームの各々の先導部分よりも薄い請求項１２記載の浚渫カッタヘッド。
【請求項２２】
上記リングは、少なくとも１つの切欠きを更に備え、上記切欠きは各々、上記螺旋アームのそれぞれのトラフ部分と連通している請求項１２記載の浚渫カッタヘッド。
【請求項２３】
上記後縁は、上記カッタヘッドの内部へ内方に湾曲している請求項１２記載の浚渫カッタヘッド。
【請求項２４】
上記リングは、上記リングの内部に沿って環状に延び、かつ上記リングから上記カッタヘッドの回転軸線に向かって内方に向いたチャネルを構成している請求項１２記載の浚渫カッタヘッド。
【請求項２５】
上記リングは、上記リングの内部に沿って環状に延び、かつ上記リングから、ばらばらになった物体を捕捉するための上記カッタヘッドの回転軸線に向かって内方に向いたチャネルを構成している請求項１記載の浚渫カッタヘッド。
【請求項２６】
上記チャネルの断面は、ハーフパイプの形をしている請求項２５記載の浚渫カッタヘッド。
【請求項２７】
上記リングは、上記螺旋アームのそれぞれの上記トラフ部分及び上記チャネルと連通した切欠きを備えている請求項２５記載の浚渫カッタヘッド。
【請求項２８】
複数の螺旋アームは上記駆動用螺旋アームである請求項１記載の浚渫カッタヘッド。
【請求項２９】
各螺旋アームは、上記駆動用螺旋アームである請求項１記載の浚渫カッタヘッド。
【請求項３０】
上記駆動用螺旋アームは各々、複数の切歯を支持することができる請求項１記載の浚渫カッタヘッド。
【請求項３１】
浚渫カッタヘッドであって、
（ａ）ハブと、リングと、上記ハブと上記リングを相互に連結する複数の螺旋アームと、を有し、
（ｂ）上記螺旋アームは各々、切歯の取付けのための前縁と、後縁と、を有し、上記螺旋アームのうちの少なくとも１つは、上記前縁と上記後縁との間に位置するトラフ部分を有する駆動用螺旋アームであり、
（ｃ）上記駆動用螺旋アームは各々、上記リングの近くの曲率度が少なくとも１０％であることを特徴とする浚渫カッタヘッド。
【請求項３２】
上記トラフ部分は、上記駆動用螺旋アームに沿って上記リングに向かう物体の運動をほぼ妨げず、上記曲率度が少なくとも１５％である請求項３１記載の浚渫カッタヘッド。
【請求項３３】
上記曲率度は、上記ハブよりも上記リングに近くにある、上記駆動用螺旋アームの少なくともそれぞれの部分にわたって全体として増大している請求項３１記載の浚渫カッタヘッド。
【請求項３４】
上記螺旋アームは各々、最大の曲率度及び最小の曲率度を有し、上記最大曲率度は、上記最小曲率度が位置するよりも上記リングの近くに位置している請求項３１記載の浚渫カッタヘッド。
【請求項３５】
上記最小の曲率度は、上記ハブの近くに位置し、上記最大の曲率度は、上記リングの近くに位置している請求項３４記載の浚渫カッタヘッド。
【請求項３６】
上記リングの近くの場所の上記曲率度は、上記ハブの近くの別の場所の上記曲率度の１．５倍である請求項３１記載の浚渫カッタヘッド。
【請求項３７】
上記駆動用螺旋アームは各々、上記ハブの近くよりも上記リングに近くにおいて幅が広い請求項３１記載の浚渫カッタヘッド。
【請求項３８】
上記前縁のねじれ角は、上記リングの近くで少なくとも１４０°である請求項３１記載の浚渫カッタヘッド。
【請求項３９】
上記カッタヘッドのアスペクト比は、少なくとも１．７である請求項３１記載の浚渫カッタヘッド。
【請求項４０】
上記トラフ部分は、上記駆動用螺旋アームの各々の先導部分よりも薄い請求項３１記載の浚渫カッタヘッド。
【請求項４１】
上記リングは、少なくとも１つの切欠きを更に備え、上記切欠きは各々、それぞれのトラフ部分と連通している請求項３１記載の浚渫カッタヘッド。
【請求項４２】
上記後縁は、上記カッタヘッドの内部へ内方に湾曲している請求項３１記載の浚渫カッタヘッド。
【請求項４３】
上記リングは、上記リングの内部に沿って環状に延び、かつ上記リングから上記カッタヘッドの回転軸線に向かって内方に向いたチャネルを構成している請求項３１記載の浚渫カッタヘッド。
【請求項４４】
複数の螺旋アームは上記駆動用螺旋アームである請求項３１記載の浚渫カッタヘッド。
【請求項４５】
各螺旋アームは、上記駆動用螺旋アームである請求項３１記載の浚渫カッタヘッド。
【請求項４６】
浚渫カッタヘッドであって、
（ａ）ハブと、リングと、上記ハブと上記リングを相互に連結する複数の螺旋アームと、を有し、
（ｂ）上記リングによって構成され、上記リングの内部に沿って環状に延び、かつ上記リングから上記カッタヘッドの回転軸線に向かって内方に向き、ばらばらになった物体を保持するチャネルを備えていることを特徴とする浚渫カッタヘッド。
【請求項４７】
上記チャネルの断面は、ハーフパイプ（half-pipe ）の形をしている請求項４６記載の浚渫カッタヘッド。
【請求項４８】
上記螺旋アームのうち少なくとも１つは、上記リングに向かって延びるトラフ部分を有する請求項４６記載の浚渫カッタヘッド。
【請求項４９】
上記リングは、上記螺旋アームの各々の上記トラフ部分及び上記チャネルと連通した切欠きを備えている請求項４８記載の浚渫カッタヘッド。
【請求項５０】
上記駆動用螺旋アームは各々、複数の切歯を支持することができる請求項４６記載の浚渫カッタヘッド。
【請求項５１】
上記螺旋アームのうちの少なくとも１つは、前縁及び後縁と、上記前縁と上記後縁との間にあるトラフ部分と、を有する駆動用螺旋アームである請求項４６記載の浚渫カッタヘッド。
【請求項５２】
複数の螺旋アームは上記駆動用螺旋アームである請求項５１記載の浚渫カッタヘッド。
【請求項５３】
各螺旋アームは、上記駆動用螺旋アームである請求項５１記載の浚渫カッタヘッド。
【請求項５４】
上記駆動用螺旋アームは各々、複数の切歯を支持することができる請求項５１記載の浚渫カッタヘッド。